(57)【要約】　　　（修正有）【課題】２種類のメディアを共通の挿入口から挿入／排出できると共に、メカニズム全体を簡略化する。【解決手段】共通の挿入口の奥側に回転可能に配置された検知レバー７と、検知レバー７の回転によって選択的にスライド移動するスライド部材３と、スライド部材３の移動によって昇降動作されるドライブユニット２と、スライド部材３の移動によってローラ駆動部材５を介して昇降動作される搬送ローラ６とを備え、第１のメディアが挿入されたとき、検知レバー７が一方向へ回転して搬送ローラ６を上昇位置で第１のメディアに圧接させると共に、ドライブユニット２を上昇位置で第１のメディアの搬送経路に対応させ、第２のメディアが挿入されたとき、検知レバー７が他方向へ回転して搬送ローラ６を下降位置で第２のメディアに圧接させると共に、ドライブユニット２を下降位置で第２のメディアの搬送経路に対応させるように構成した。【選択図】　　　図２
2004039132.tif 000002
【特許請求の範囲】
【請求項１】
ディスク状の第１のメディアとディスクをカートリッジケース内に収納した第２のメディアとが共通のピックアップによって記録および／または再生される記録媒体駆動装置において、
前記第１のメディアと前記第２のメディアが挿入または排出される共通の挿入口と、この挿入口の奥側に回転可能に配置された検知レバーと、この検知レバーの回転方向に応じて上昇位置と下降位置のいずれか一方に位置する搬送ローラとを備え、
前記第１のメディアが前記挿入口に挿入されたとき、前記検知レバーが一方向へ回転して前記搬送ローラを上昇位置で該第１のメディアに圧接させ、前記第２のメディアが前記挿入口に挿入されたとき、前記検知レバーが他方向へ回転して前記搬送ローラを下降位置で該第２のメディアに圧接させるように構成したことを特徴とする記録媒体駆動装置。
【請求項２】
ディスク状の第１のメディアとディスクをカートリッジケース内に収納した第２のメディアとが共通のピックアップによって記録および／または再生される記録媒体駆動装置において、
前記第１のメディアと前記第２のメディアが挿入または排出される共通の挿入口と、この挿入口の奥側に回転可能に配置された検知レバーと、この検知レバーの回転方向に応じて上昇位置と下降位置のいずれか一方に位置し、少なくとも前記ピックアップおよびターンテーブルが搭載された昇降可能なドライブユニットとを備え、
前記第１のメディアが前記挿入口に挿入されたとき、前記検知レバーが一方向へ回転して前記ドライブユニットを上昇位置で該第１のメディアの搬送経路に対応させ、前記第２のメディアが前記挿入口に挿入されたとき、前記検知レバーが他方向へ回転して前記ドライブユニットを下降位置で該第２のメディアの搬送経路に対応させるように構成したことを特徴とする記録媒体駆動装置。
【請求項３】
ディスク状の第１のメディアとディスクをカートリッジケース内に収納した第２のメディアとが共通のピックアップによって記録および／または再生される記録媒体駆動装置において、
前記第１のメディアと前記第２のメディアが挿入または排出される共通の挿入口と、この挿入口の奥側に回転可能に配置された検知レバーと、前記第１のメディアと前記第２のメディアを搬送する昇降可能な搬送ローラと、少なくとも前記ピックアップおよびターンテーブルが搭載された昇降可能なドライブユニットとを備え、
前記第１のメディアが前記挿入口に挿入されたとき、前記検知レバーが一方向へ回転して前記搬送ローラを上昇位置で該第１のメディアに圧接させると共に、前記ドライブユニットを上昇位置に保持して該第１のメディアの搬送経路に対応させ、前記第２のメディアが前記挿入口に挿入されたとき、前記検知レバーが他方向へ回転して前記搬送ローラを下降位置で該第２のメディアに圧接させると共に、前記ドライブユニットを下降位置に保持して該第２のメディアの搬送経路に対応させるように構成したことを特徴とする記録媒体駆動装置。
【請求項４】
請求項３の記載において、前記ドライブユニットを昇降動作する前後進可能なスライド部材と、このスライド部材に連動して前記搬送ローラを昇降動作するローラ駆動部材とを備え、前記スライド部材が前記検知レバーの回転方向に応じて選択的に動作するように構成したことを特徴とする記録媒体駆動装置。
【発明の詳細な説明】
【０００１】
【発明の属する技術分野】
本発明は、異なる２種類のメディアを共通のピックアップによって記録および／または再生することのできる記録媒体駆動装置に関する。
【０００２】
【従来の技術】
近年、メディアの種類は多様化する傾向にあり、例えばＣＤやＤＶＤに代表される直径８ｃｍや１２ｃｍのディスク状のメディアの他に、ＭＤのように直径６．５ｃｍ程度の小径ディスクをカートリッジケース内に収納したカートリッジタイプのメディアが知られており、将来的にはＤＶＤ−ＲＡＭや青紫色レーザ光により情報の記録および／または再生を行うＢｌｕ−ｒａｙ　Ｄｉｓｋのように直径１２ｃｍの大径ディスクをカートリッジケース内に収納した次世代ディスクと称ばれるメディアの出現も予測されている。
【０００３】
従来より、このようなディスク状のメディアとカートリッジタイプのメディアを共通の光ピックアップを用いて再生できるようにした記録媒体駆動装置が提案されており、その一例が特開平７−２２６００６号公報に開示されている。同公報に記載された記録媒体駆動装置では、機器本体の前面板にＣＤ用挿入口とＭＤ用挿入口が上下２段に開設され、機器本体の内部にはホルダとドライブシャーシおよび２つの搬送ローラが配設されている。ホルダはＭＤ用挿入口と対向する位置に固定されており、ＣＤ用ターンテーブルを支持している。ドライブシャーシはホルダに対して昇降可能であり、このドライブシャーシ上には光ピックアップとその移送機構が搭載されると共に、ＭＤ用ターンテーブルを駆動するスピンドルモータが搭載されている。
【０００４】
このように概略構成された記録媒体駆動装置にあっては、ＣＤを上段のＣＤ用挿入口から挿入すると、２つの搬送ローラのうちＣＤ用搬送ローラが駆動され、ＣＤはこのＣＤ用搬送ローラの駆動力によりホルダの上方のスペースを通ってＣＤ用ターンテーブルまで搬送される。同時にドライブシャーシが上昇してスピンドルモータがＭＤ用ターンテーブルを介してＣＤ用ターンテーブルに連結され、この状態でＣＤ用ターンテーブルによって回転駆動されるＣＤに対して光ピックアップを径方向へ移送することにより、ＣＤに記録された情報が再生される。また、ＭＤを下段のＭＤ用挿入口から挿入すると、２つの搬送ローラうちＭＤ用搬送ローラが駆動され、ＭＤはこのＭＤ用搬送ローラの駆動力によりホルダの内部を通ってＭＤ用ターンテーブルの真上まで搬送され、その搬送途中でシャッタが開放してカートリッジケースの窓孔から光磁気ディスクが露出する。同時にドライブシャーシが上昇してＭＤがＭＤ用ターンテーブルに吸着され、この状態でＭＤ用ターンテーブルによって回転駆動されるＭＤに対して光ピックアップを径方向へ移送することにより、ＭＤに記録された情報が再生される。
【０００５】
【発明が解決しようとする課題】
前述した従来の記録媒体駆動装置によれば、ドライブシャーシに搭載された共通の光ピックアップを用いてＣＤとＭＤという２種類のメディアから情報を再生することができるため、ＣＤプレーヤとＭＤプレーヤを別々のメカニズムで構成してそれらを積層させた場合に比べると、装置全体の厚み（高さ）寸法を大幅に小さくすることができる。しかしながら、それぞれの挿入口と搬送ローラを含むＣＤとＭＤの搬送経路がホルダを介して上下方向に分離されているため、ＣＤ用搬送ローラとＭＤ用搬送ローラを個別に配設する必要があり、しかも、ＣＤの再生時にＣＤ用ターンテーブルとＭＤ用ターンテーブルを一体化し、ＭＤの再生時はＣＤ用ターンテーブルとＭＤ用ターンテーブルを分離する必要があり、これら機構によってメカニズム全体を複雑にせざるを得ないという問題があった。なお、このような問題は２種類のメディアがＣＤとＭＤである場合に限らず、例えば、一方がＤＶＤのようなディスク状のメディアで、他方がＤＶＤ−ＲＡＭのようなカートリッジタイプのメディアの場合も同様である。
【０００６】
本発明は、このような従来技術の実情に鑑みてなされたもので、その目的は、２種類のメディアを共通の挿入口から挿入／排出できると共に、メカニズム全体を簡略化することができる記録媒体駆動装置を提供することにある。
【０００７】
【課題を解決するための手段】
本発明は、共通の挿入口の奥側に配置した検知レバーの回転方向によってメディアの種類を判別し、その判別結果に基づいて搬送ローラやドライブユニットを上昇位置と下降位置のいずれか一方に位置させることとする。このように挿入されたメディアの種類を検知レバーの回転方向によって判別すると、厚みの異なる２種類のメディアに対して共通の搬送ローラを確実に圧接させることができ、また、ピックアップやターンテーブルが搭載されたドライブユニットをそれぞれのメディアの搬送経路に対して最適位置に位置合わせすることができる。
【０００８】
【発明の実施の形態】
本発明の記録媒体駆動装置では、ディスク状の第１のメディアとディスクをカートリッジケース内に収納した第２のメディアとが共通のピックアップによって記録および／または再生される記録媒体駆動装置において、前記第１のメディアと前記第２のメディアが挿入または排出される共通の挿入口と、この挿入口の奥側に回転可能に配置された検知レバーと、この検知レバーの回転方向に応じて上昇位置と下降位置のいずれか一方に位置する搬送ローラとを備え、前記第１のメディアが前記挿入口に挿入されたとき、前記検知レバーが一方向へ回転して前記搬送ローラを上昇位置で該第１のメディアに圧接させ、前記第２のメディアが前記挿入口に挿入されたとき、前記検知レバーが他方向へ回転して前記搬送ローラを下降位置で該第２のメディアに圧接させるように構成した。
【０００９】
このように構成された記録媒体駆動装置では、共通の挿入口の奥側に配置された検知レバーの回転方向によってメディアの種類を判別し、ディスク状の第１のメディアが挿入されたときは、検知レバーが一方向へ回転して搬送ローラを上昇位置で第１のメディアに圧接させ、カートリッジタイプの第２のメディアが挿入されたときは、検知レバーが他方向へ回転して搬送ローラを下降位置で第２のメディアに圧接させるため、厚みの異なる２種類のメディアを共通の搬送ローラを用いて確実に搬送することができる。
【００１０】
また、本発明の記録媒体駆動装置では、ディスク状の第１のメディアとディスクをカートリッジケース内に収納した第２のメディアとが共通のピックアップによって記録および／または再生される記録媒体駆動装置において、前記第１のメディアと前記第２のメディアが挿入または排出される共通の挿入口と、この挿入口の奥側に回転可能に配置された検知レバーと、この検知レバーの回転方向に応じて上昇位置と下降位置のいずれか一方に位置し、少なくとも前記ピックアップおよびターンテーブルが搭載された昇降可能なドライブユニットとを備え、前記第１のメディアが前記挿入口に挿入されたとき、前記検知レバーが一方向へ回転して前記ドライブユニットを上昇位置で該第１のメディアの搬送経路に対応させ、前記第２のメディアが前記挿入口に挿入されたとき、前記検知レバーが他方向へ回転して前記ドライブユニットを下降位置で該第２のメディアの搬送経路に対応させるように構成した。
【００１１】
このように構成された記録媒体駆動装置では、共通の挿入口の奥側に配置された検知レバーの回転方向によってメディアの種類を判別し、ディスク状の第１のメディアが挿入されたときは、検知レバーが一方向へ回転してドライブユニットを上昇位置で第１のメディアの搬送経路に対応させ、カートリッジタイプの第２のメディアが挿入されたときは、検知レバーが他方向へ回転してドライブユニットを下降位置で第２のメディアの搬送経路に対応させるため、厚みの異なる２種類のメディアをドライブユニットに搭載した共通のピックアップやターンテーブルを用いて駆動することができる。
【００１２】
さらに、本発明の記録媒体駆動装置では、ディスク状の第１のメディアとディスクをカートリッジケース内に収納した第２のメディアとが共通のピックアップによって記録および／または再生される記録媒体駆動装置において、前記第１のメディアと前記第２のメディアが挿入または排出される共通の挿入口と、この挿入口の奥側に回転可能に配置された検知レバーと、前記第１のメディアと前記第２のメディアを搬送する昇降可能な搬送ローラと、少なくとも前記ピックアップおよびターンテーブルが搭載された昇降可能なドライブユニットとを備え、前記第１のメディアが前記挿入口に挿入されたとき、前記検知レバーが一方向へ回転して前記搬送ローラを上昇位置で該第１のメディアに圧接させると共に、前記ドライブユニットを上昇位置に保持して該第１のメディアの搬送経路に対応させ、前記第２のメディアが前記挿入口に挿入されたとき、前記検知レバーが他方向へ回転して前記搬送ローラを下降位置で該第２のメディアに圧接させると共に、前記ドライブユニットを下降位置に保持して該第２のメディアの搬送経路に対応させるように構成した。
【００１３】
このように構成された記録媒体駆動装置では、共通の挿入口の奥側に配置された検知レバーの回転方向によってメディアの種類を判別し、厚みの薄いディスク状の第１のメディアが挿入されたときは、検知レバーが一方向へ回転して搬送ローラを上昇位置で第１のメディアに圧接させると共に、ドライブユニットを上昇位置で第１のメディアの搬送経路に対応させ、厚みの大きいカートリッジタイプの第２のメディアが挿入されたときは、検知レバーが他方向へ回転して搬送ローラを下降位置で第２のメディアに圧接させると共に、ドライブユニットを下降位置で第２のメディアの搬送経路に対応させるため、２種類のメディアに対して共通の搬送ローラとドライブユニットを用いて情報の記録および／または再生を行うことができ、その分、メカニズム全体を簡略化することができる。
【００１４】
この場合において、ドライブユニットを昇降動作する前後進可能なスライド部材と、このスライド部材に連動して搬送ローラを昇降動作するローラ駆動部材とを備え、前記スライド部材が検知レバーの回転方向に応じて選択的に動作するように構成すると、メディアのローディング系に検知レバーの回転をリンクさせることができ、メカニズム全体を簡略化する上で好ましい。
【００１５】
【実施例】
実施例について図面を参照して説明すると、図１は記録媒体駆動装置の正面図、図２は該記録媒体駆動装置の内部機構を示す平面図、図３は図２のＡ−Ａ線矢視図、図４は第１および第２のメディアと検知レバーの関係を示す説明図、図５は第１のメディアのローディング開始状態を示す平面図、図６は第１のメディアのローディング開始状態を示す側面図、図７は第１のメディアのローディング完了状態を示す平面図、図８は第１のメディアのローディング完了状態を示す側面図、図９は第２のメディアのローディング開始状態を示す平面図、図１０は第２のメディアのローディング開始状態を示す側面図、図１１は第２のメディアのローディング完了状態を示す平面図、図１２は第２のメディアのローディング完了状態を示す側面図である。
【００１６】
本実施例に係る記録媒体駆動装置は、車内の所定位置（例えばコンソール内）に設置される枠体１と、この枠体１の内部に配置されたドライブユニット２と、このドライブユニット２を昇降動作する左右一対のスライド部材３と、このスライド部材３をスライド動作するレバー４と、スライド部材３によってスライド動作されるローラ駆動部材５と、このローラ駆動部材５によって昇降動作される搬送ローラ６と、後述する第１および第２のメディアによって回転動作される左右一対の検知レバー７等を備えており、図１に示すように、枠体１の前面を覆う前面板１ａには長方形状の挿入口８が開設されている。また、本実施例で使用される第１のメディア９は直径１２ｃｍのＣＤやＤＶＤ等のディスク状メディアであり、第２のメディア１０は直径１２ｃｍのディスクをカートリッジケース内に回転自在に収納したＤＶＤ−ＲＡＭやＢｌｕ−ｒａｙ　Ｄｉｓｋ等のカートリッジタイプのメディアである。
【００１７】
図２と図３に示すように、ドライブユニット２の左右両側にはそれぞれ一対のピン２ａが突設されており、これらピン２ａは各スライド部材３に設けられた一対のカム孔３ａに係合している。このカム孔３ａは高さ位置を異にする３つの平坦部を有し、図３の左端の平坦部が最も高く、中央の平坦部が最も低い位置に設定されている。ドライブユニット２には光ピックアップ１１とターンテーブル１２が搭載されており、図示せぬが光ピックアップ１１の移送機構やターンテーブル１２を回転駆動するスピンドルモータ等も搭載されている。
【００１８】
レバー４はドライブユニット２の奥側に回転可能に配設されており、図示せぬスプリングによって図２の時計回り方向に付勢されている。このレバー４は枠体１内に挿入された第１および第２のメディア９，１０によって図２の反時計回り方向に回転され、レバー４が同方向へ回転するとスライド部材３が手前側（図２の下方）へスライド動作され、それに伴ってピン２ａとカム孔３ａの係合位置が変化することにより、ドライブユニット２の高さ位置を変える昇降動作が行われる。なお、特に図示しないが、左右のスライド部材３の間には、これら両スライド部材３を同期させて同方向へ移動させるリンク機構が設けられている。
【００１９】
ローラ駆動部材５は各スライド部材３の手前側に配置されており、スライド部材３のスライド動作に連動して前後進するようになっている。このローラ駆動部材５の前端部（図３の右端部）にカム面５ａが形成されており、搬送ローラ６を支持する支持部材１３がカム面５ａに係合している。支持部材１３は図３の右端が回動支点となっており、図示せぬスプリングによって図３の時計回り方向へ付勢されている。
【００２０】
検知レバー７は挿入口８の奥側に配置されており、この検知レバー７はガイド部材１４に回転可能に支持されている。図２においてガイド部材１４は省略されているが、このガイド部材１４は枠体１の上部手前側に架設されており、前述した搬送ローラ６はガイド部材１４の下面に対向している。検知レバー７の前端側には検知ピン７ａが形成されており、この検知ピン７ａは搬送ローラ６よりも手前側で挿入口８に対向している。また、検知レバー７の後端側には駆動部７ｂが形成されており、この駆動部７ｂはスライド部材３の上端に突設した受部３ｂに対向している。この検知レバー７は図示せぬスプリングによって一方向へ回動付勢されており、駆動部７ｂが受部３ｂに当接することにより、第１および第２のメディア９，１０の挿入方向に対して後端側が所定角度だけ開くように設定されている。ここで、検知レバー７は第１のメディア９の挿入によって外側に回転し、第２のメディア１０の挿入によって内側に回転するようになっているが、このように２種類のメディア９，１０の挿入に応じて検知レバー７の回転方向を変えるためには、検知レバー７の開き角度が所定の条件を満足しなければならない。以下、この条件を図４を参照して説明する。
【００２１】
図４において、検知レバー７の検知ピン７ａから回転中心７ｃまでの長さをＲ１、挿入口８のセンタ位置から検知レバー７の回転中心７ｃまでの長さをＬ１、検知レバー７の開き角度（待ち受け角度）をθ１とすると、半径（検知ピン７ａに当接する部分の曲率半径）Ｒａのメディアが挿入されたときに検知レバー７が開く（外側）方向に回転し、半径（検知ピン７ａに当接する部分の曲率半径）Ｒｂのメディアが挿入されたときに検知レバー７が閉じる（内側）方向に回転するには、
θｂ＜θ１＜θａ………▲１▼
を満足する必要がある。▲１▼式において、θａは半径Ｒａのメディアが検知ピン７ａの回転軌跡に接したとき、その接触点を通る法線とメディアの挿入方向とのなす角度であり、θａ＝ｓｉｎ−１｛Ｌ１／（Ｒ１＋Ｒａ）｝として表せられる。また、θｂは半径Ｒｂのメディアが検知ピン７ａの回転軌跡に接したとき、その接触点を通る法線とメディアの挿入方向とのなす角度であり、θｂ＝ｓｉｎ−１｛Ｌ１／（Ｒ１＋Ｒｂ）｝として表せられる。したがって、これらθａとθｂを▲１▼式に代入すると、
ｓｉｎ−１｛Ｌ１／（Ｒ１＋Ｒｂ）｝＜θ１＜ｓｉｎ−１｛Ｌ１／（Ｒ１＋Ｒａ
）｝………▲２▼
となる。
【００２２】
本実施例において、第１のメディア９は直径１２ｃｍのディスク状メディアであるからＲａ＝６０ｍｍとし、第２のメディア１０はカートリッジタイプのメディアで、そのカートリッジケースの挿入端側の曲率半径をＲｂ＝１２０ｍｍとし、さらにＲ１＝３０ｍｍ、Ｌ１＝６０ｍｍとしてこれらを▲２▼式に代入すると、
２３．６度＜θ１＜４１．８度
となる。すなわち、第１および第２のメディア９，１０の挿入に応じて検知レバー７の回転方向を変えるためには、検知レバー７の開き角度（待ち受け角度）θ１が２３．６度〜４１．８度の範囲にあれば良いことになる。なお、以上は図２の左側の検知レバー７について説明したが、右側の検知レバー７についても同様である。
【００２３】
次に、上記の如く構成された記録媒体駆動装置の動作を説明すると、第１および第２のメディア９，１０のいずれも挿入されていない待機状態において、搬送ローラ６は図３に示す上昇位置にあり、また、ドライブユニット２は最上段よりも一段低い上昇位置にある。
【００２４】
まず、第１のメディア９を使用した場合について説明する。図５と図６に示すように、第１のメディア９を挿入口８から枠体１の内部に挿入すると、第１のメディア９の外周縁が検知ピン７ａに当接し、検知レバー７が外側（図５の時計回り方向）に回転する。この場合、検知レバー７の駆動部７ｂが受部３ｂから離れる方向へ移動するため、スライド部材３とローラ駆動部材５は共にスライド動作せず、搬送ローラ６は上昇位置に保持されて第１のメディア９の下面に圧接される。したがって、第１のメディア９が挿入されたことを図示せぬスイッチ等で検出し、その検出信号に基づいて搬送ローラ６を回転駆動することにより、第１のメディア９はガイド部材１４と搬送ローラ６間に挟持されてドライブユニット２の方向へ搬送される。その際、ドライブユニット２は最上段よりも一段低い上昇位置にあり、第１のメディア９はこのドライブユニット２の上方のスペースを搬送経路として搬送される。
【００２５】
第１のメディア９の中心孔がドライブユニット２のターンテーブル１２の真上まで搬送されると、図７と図８に示すように、レバー４が第１のメディア９に押圧されて回転し、このレバー４によってスライド部材３が手前側（図７，８の右方）へ移動する。このスライド部材３の移動によりローラ駆動部材５が手前側へ移動し、それに伴ってローラ駆動部材５のカム面５ａが支持部材１３を回動するため、搬送ローラ６が下降して第１のメディア９の下面から離反する。また、スライド部材３が手前側へ移動することにより、ドライブユニット２が最上段位置へと移動し、その結果、ターンテーブル１２が第１のメディア９の中心孔に嵌まり込んでチャッキングされる。そして、このチャッキング完了後にターンテーブル１２によって第１のメディア９を回転駆動し、光ピックアップ１１を第１のメディア９の径方向へ移送することにより、第１のメディア９に対して情報の記録および／または再生が行われる。なお、上記ガイド部材１４を枠体１に昇降可能に支持し、支持部材１３の反時計方向への回動動作に連動させて第１のメディア９の上面から離間するように構成すれば、第１のメディア９の回転動作をより確実なものとすることができる。
【００２６】
次に、第２のメディア１０を使用した場合について説明する。図９と図１０に示すように、第２のメディア１０を挿入口８から枠体１の内部に挿入すると、第２のメディア１０のカートリッジケース前面が検知ピン７ａに当接し、検知レバー７が内側（図９の反時計回り方向）に回転するため、駆動部７ｂが受部３ｂを押圧してスライド部材３が手前側（図９，１０の右方）へ所定距離移動する。そして、スライド部材３に押圧されてローラ駆動部材５も同方向へ移動するため、ローラ駆動部材５のカム面５ａが支持部材１３を回動させ、搬送ローラ６が下降位置へと移動する。また、このスライド部材３の移動によりピン２ａがカム孔３ａの中央の平坦部へと移動し、ドライブユニット２が最も低い下降位置へと移動する。すなわち、搬送ローラ６は下降位置に保持されて第２のメディア１０の下面に圧接され、ドライブユニット２の上方に厚みの大きい第２のメディア１０の搬送経路が確保される。したがって、第２のメディア１０が挿入されたことを図示せぬスイッチ等で検出し、その検出信号に基づいて搬送ローラ６を回転駆動することにより、第２のメディア１０はガイド部材１４と搬送ローラ６間に挟持されてドライブユニット２の方向へと搬送される。なお、第２のメディア１０の挿入開始直後にローラ駆動部材５によって搬送ローラ６が下降させられるので、検知レバー７の検知ピン７ａは搬送ローラ６の上方を通過して奥方へ移動でき、検知レバー７の回動動作が搬送ローラ６によって妨げられることはない。
【００２７】
第２のメディア１０内のディスクの中心孔がドライブユニット２のターンテーブル１２の真上まで搬送されると、その搬送途中で第２のメディア１０の図示せぬシャッタが開放してカートリッジケースの窓孔からディスクが露出した後、図１１と図１２に示すように、レバー４が第２のメディア１０に押圧されて回転する。このレバー４によってスライド部材３が手前側へ移動し、それに伴ってピン２ａがカム孔３ａの最上段の平坦部へと移動するため、ドライブユニット２が下降位置から最上段位置へと移動する。その結果、ターンテーブル１２が第２のメディア１０に収納されたディスクの中心孔に嵌まり込んでチャッキングされるため、このチャッキング完了後にターンテーブル１２によって第２のメディア１０のディスクを回転駆動し、光ピックアップ１１を第２のメディア１０の径方向へ移送することにより、第２のメディア１０に対して情報の記録および／または再生が行われる。
【００２８】
このように本実施例に係る記録媒体駆動装置によれば、共通の挿入口８の奥側に配置された検知レバー７の回転方向によって第１および第２のメディア９，１０の種類を判別し、厚みの薄いディスク状の第１のメディア９が挿入されたときは、検知レバー７が一方向へ回転して搬送ローラ６を上昇位置で第１のメディア９に圧接させると共に、ドライブユニット２を上昇位置で第１のメディア９の搬送経路に対応させ、厚みの大きいカートリッジタイプの第２のメディア１０が挿入されたときは、検知レバー７が他方向へ回転して搬送ローラ６を下降位置で第２のメディア１０に圧接させると共に、ドライブユニット２を下降位置で第２のメディア１０の搬送経路に対応させるため、２種類のメディア９，１０に対して共通の搬送ローラ６とドライブユニット２を用いて情報の記録および／または再生を行うことができ、その分、メカニズム全体を簡略化することができる。
【００２９】
また、検知レバー７の回転方向に応じてスライド部材３を選択的にスライド動作させ、このスライド部材３の移動によってドライブユニット２を昇降動作させると共に、ローラ駆動部材５を駆動して搬送ローラ６を昇降動作させるようにしたので、第１および第２のメディア９，１０のローディング系に検知レバー７の回転動作をリンクさせることができ、この点からもメカニズム全体を簡略化することができる。
【００３０】
【発明の効果】
本発明は、以上説明したような形態で実施され、以下に記載されるような効果を奏する。
【００３１】
共通の挿入口の奥側に配置した検知レバーの回転方向によってメディアの種類を判別し、その判別結果に基づいて搬送ローラやドライブユニットを上昇位置と下降位置のいずれか一方に位置させるようにしたので、厚みの異なる２種類のメディアに対して共通の搬送ローラを確実に圧接させることができ、また、ピックアップやターンテーブルが搭載されたドライブユニットをそれぞれのメディアの搬送経路に対して最適位置に位置合わせすることができ、それ故、記録媒体駆動装置のメカニズム全体を簡略化することができる。
【図面の簡単な説明】
【図１】実施例に係る記録媒体駆動装置の正面図である。
【図２】該記録媒体駆動装置の内部機構を示す平面図である。
【図３】図２のＡ−Ａ線矢視図である。
【図４】第１および第２のメディアと検知レバーの関係を示す説明図である。
【図５】第１のメディアのローディング開始状態を示す平面図である。
【図６】第１のメディアのローディング開始状態を示す側面図である。
【図７】第１のメディアのローディング完了状態を示す平面図である。
【図８】第１のメディアのローディング完了状態を示す側面図である。
【図９】第２のメディアのローディング開始状態を示す平面図である。
【図１０】第２のメディアのローディング開始状態を示す側面図である。
【図１１】第２のメディアのローディング完了状態を示す平面図である。
【図１２】第２のメディアのローディング完了状態を示す側面図である。
【符号の説明】
１　枠体
１ａ　前面板
２　ドライブユニット
２ａ　ピン
３　スライド部材
３ａ　カム孔
３ｂ　受部
４　レバー
５　ローラ駆動部材
５ａ　カム面
６　搬送ローラ
７　検知レバー
７ａ　検知ピン
７ｂ　駆動部
８　挿入口
９　第１のメディア
１０　第２のメディア
１１　光ピックアップ
１２　ターンテーブル
１３　支持部材
１４　ガイド部材
【図１】
2004039132.tif 000003
【図２】
2004039132.tif 000004
【図３】
2004039132.tif 000005
【図４】
2004039132.tif 000006
【図５】
2004039132.tif 000007
【図６】
2004039132.tif 000008
【図７】
2004039132.tif 000009
【図８】
2004039132.tif 000010
【図９】
2004039132.tif 000011
【図１０】
2004039132.tif 000012
【図１１】
2004039132.tif 000013
【図１２】
2004039132.tif 000014